(57)【要約】【課題】遊技ホール等において信頼性の高い不正監視を実施することができる遊技機の不正監視システムを提供すること。【解決手段】遊技ホールには多数のパチンコ機１０が設置されている。各パチンコ機１０は、遊技を統括管理する主制御装置４２、及び主制御装置４２からの払出指令に基づいて遊技球の払い出しを制御する払出制御装置４３を備えている。この場合、各パチンコ機１０の主制御装置４２及び払出制御装置４３には所定のＩＤ情報が登録されたＩＣタグが取り付けられている。そして、これらＩＣタグのＩＤ情報はリーダ装置にて読み込まれ、その読み込まれたＩＤ情報はホールコンピュータ等の管理装置にて収集される。管理装置ではその収集したＩＤ情報に基づいて不正検出処理を実行する。【選択図】      図３
2008000204.tif 000002
【特許請求の範囲】
【請求項１】
遊技島に設置された各遊技機の制御装置にはＩＤ情報が記憶されたＩＣタグを取り付け、これら各ＩＣタグからＩＤ情報を収集することで遊技機に対する不正を監視する不正監視システムであって、
ＩＣタグからＩＤ情報を読み取るリーダ装置と、
リーダ装置が読み取ったＩＤ情報を収集するとともに、その収集したＩＤ情報と予め作成された各ＩＤ情報の管理データとを比較し、その比較結果に基づいて異常処理を実行する管理装置とを備えたことを特徴とする不正監視システム。
【発明の詳細な説明】
【技術分野】
【０００１】
本発明は、遊技機の不正監視システムに関するものである。
【背景技術】
【０００２】
遊技機の一種として、パチンコ遊技機やスロットマシン等が知られている。これらの遊技機は、ＣＰＵや遊技に関わる制御プログラムが記憶されたＲＯＭ等の電子部品が実装された制御基板を備えており、その制御基板によって一連の遊技が制御されている。
【０００３】
この種の遊技機においては、不正な利益を得ることを目的として、制御基板を不正に取り外して当該基板内のＲＯＭを交換し遊技内容を変更したり、リード線等により外部から不正な電気信号を制御基板に入力させたりする等、制御基板に対しての不正行為が数多く報告されており、従来より各種の不正対策が検討されている。例えば、基板ボックスを透明ケース体にて構成して制御基板の状態を外部から容易に視認できるようにする、基板ボックスに封印構造を持たせて基板ボックスの開封時には破壊等による開封履歴を残すようにする、又は、基板ボックスを構成する上下一対のケース体の接合部に再貼付不可能であり剥がすと痕跡が残る封印シールを貼付する等の不正対策が採用されている（例えば特許文献１参照）。
【０００４】
しかしながら、上記のような不正対策が施されていても、未だに不正行為が行われることが考えられ、前記封印構造や封印シール等を採用した制御基板装置であっても、不正の痕跡が残らないようにして巧妙に不正を施すといったことが考えられる。封印シールについては、例えば巧妙に封印シールを一旦剥がし、その後再び基板ボックスに貼り直して元の状態に戻すようにする不正が考えられる。こうした不正行為が行われる場合、遊技機を設置する遊技ホール等において多大な不利益が生じるおそれがあった。
【特許文献１】特開２００３−１８０９１７号公報
【発明の開示】
【発明が解決しようとする課題】
【０００５】
本発明は、遊技ホール等において信頼性の高い不正監視を実施することができる遊技機の不正監視システムを提供することを目的とするものである。
【課題を解決するための手段】
【０００６】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００７】
手段１．遊技島（遊技島９０）に設置された各遊技機（パチンコ機１０）の制御装置（主制御装置４２、払出制御装置４３）にはＩＤ情報が記憶されたＩＣタグ（ＩＣタグ６３，７９）を取り付け、これら各ＩＣタグからＩＤ情報を収集することで遊技機に対する不正を監視する不正監視システムであって、
ＩＣタグからＩＤ情報を読み取るリーダ装置（リーダ装置９２）と、
リーダ装置が読み取ったＩＤ情報を収集するとともに、その収集したＩＤ情報と予め作成された各ＩＤ情報の管理データとを比較し、その比較結果に基づいて異常処理を実行する管理装置（ホールコンピュータ９３）とを備えたことを特徴とする不正監視システム。
【０００８】
手段１の不正監視システムでは、遊技機の制御装置に取り付けられたＩＣタグからＩＤ情報を読み取るリーダ装置が設けられており、リーダ装置にて読み取られたＩＤ情報は管理装置にて収集される。そして、管理装置においてはその収集したＩＤ情報と予め作成された管理データとを比較し、その比較結果に基づいて異常処理を実行する。かかる構成とすることにより、不正な制御装置への交換等といった不正行為が行われたか否かが確認され、遊技ホール等において信頼性の高い不正監視を実施することができる。
【発明を実施するための最良の形態】
【０００９】
（第１の実施の形態）
以下、遊技機の一種であるパチンコ遊技機（以下、単に「パチンコ機」という）の一実施の形態を、図面に基づいて詳細に説明する。図１はパチンコ機１０の正面図であり、図２はパチンコ機１０よりガラス扉枠１３及び下皿ユニット１７を取り外した状態を示す正面図であり、図３はパチンコ機１０の背面図である。
【００１０】
図１，図２に示すように、パチンコ機１０は、外枠１１と、該外枠１１の前部に設けられ外枠１１の一側部にて開閉可能に支持された前面枠１２と、該前面枠１２の前面側に開閉可能に設けられたガラス扉枠１３とを備えている。
【００１１】
ガラス扉枠１３には略円形状の窓部１４が形成され、この窓部１４には透明なガラス１５がはめ込まれている。そして、この窓部１４を通じて、後述する遊技領域が外部より視認可能となっている。また、ガラス扉枠１３には、遊技時の補助的な演出効果を得るための様々な装飾用部材が設けられている。例えば、窓部１４を囲むようにして、各種ランプ等の発光手段を内装した電飾部材１６が設けられている。
【００１２】
一方、前面枠１２下部には、下皿ユニット１７が設けられている。下皿ユニット１７のほぼ中央部には下皿１８が設けられており、その下皿１８の右方には、手前側に延びるようにして遊技球発射ハンドル１９が配設されている。これに対し、上皿２０はガラス扉枠１３に一体的に設けられている。ここで、上皿２０は、遊技球を貯留するための球受皿を構成し、上皿２０に貯留された遊技球は遊技球発射装置２１へ導かれる。そして、遊技球発射ハンドル１９が操作されることで遊技球発射装置２１から後述する遊技領域に向けて遊技球が発射される。また、下皿１８は、上皿２０が満タンとなり余剰となった遊技球を排出するための別の球受皿を構成する。なお、前面枠１２の内部にはスピーカＳが埋設されている。
【００１３】
次に、パチンコ機１０の遊技領域に関する構成について説明する。図２に示すように、前記前面枠１２は、外形が前記外枠１１とほぼ同一形状をなす樹脂ベース２２を主体に構成されており、その樹脂ベース２２の後側には遊技盤２４が着脱可能に装着されている。遊技盤２４は、その周縁部が樹脂ベース２２（前面枠１２）の裏側に当接した状態で取着されており、図２では、遊技盤２４の前面部の略中央部分だけが樹脂ベース２２の窓孔２２ａを通じて前面枠１２の前面側に露出した状態となっている。遊技盤２４には、ルータ加工が施されることによって複数の開口部が形成されており、各開口部には普通入賞口２５、スルーチャッカー２６、作動チャッカー２７、可変入賞装置２８、可変表示装置２９等が配設されている。その他に、遊技盤２４にはアウト口３０が設けられており、各種入賞装置等に取り込まれなかった遊技球はこのアウト口３０を通って図示しない球排出路の方へと案内されるようになっている。
【００１４】
可変表示装置２９には、作動チャッカー２７への入賞をトリガとして図柄を変動表示する図柄表示装置３１が設けられている。図柄表示装置３１は液晶表示装置として構成されている。図柄表示装置３１には、例えば上段、中段、下段の上下３段の図柄列が設定されており、各段毎に左図柄、中図柄、右図柄の３個の図柄が変動表示される。遊技球が作動チャッカー２７を通過した回数は最大４回まで保留され、その保留回数が図柄表示装置３１の上部に設けられた保留ランプ３２にて点灯表示されるようになっている。
【００１５】
また、可変表示装置２９には図柄表示装置３１の上部に特定ランプ部３３が設けられている。遊技球がスルーチャッカー２６を通過する毎に特定ランプ部３３における左右のランプが交互に点滅し、一方のランプが点灯した状態でランプの切り替えが終了した場合に作動チャッカー２７が所定時間だけ作動状態となるよう構成されている。遊技球がスルーチャッカー２６を通過した回数は最大４回まで保留され、その保留回数が特定ランプ部３３の上部に設けられた保留ランプ３４にて点灯表示されるようになっている。
【００１６】
可変入賞装置２８は、図示しないソレノイドにより開閉動作されるシャッタ２８ａを有し、同シャッタ２８ａが開状態となると大入賞口が現れる。通常、シャッタ２８ａは遊技球が入賞できない又は入賞し難い閉状態になっており、大当りの際に遊技球が入賞しやすい開状態と通常の閉状態とに繰り返し作動されるようになっている。より詳しくは、作動チャッカー２７に遊技球が入賞すると図柄表示装置３１の図柄が変動表示され、その停止後の確定図柄が特定の組み合わせとなった場合に特別遊技状態が発生する。そして、可変入賞装置２８のシャッタ２８ａが所定の開放状態となって（具体的には所定時間、所定回数だけ開く）大入賞口が現れ、遊技球が入賞しやすい状態（大当り状態）になるよう構成されている。
【００１７】
普通入賞口２５、作動チャッカー２７、可変入賞装置２８に遊技球が入賞することに基づいて、上皿２０（場合によっては下皿１８）に対し所定数の景品球が払い出されるようになっている。また、遊技盤２４には、遊技球の落下方向を適宜分散、調整等するために多数の釘が植設されていると共に、風車等の各種部材（役物）が配設されている。
【００１８】
遊技盤２４にはレールユニット３６が取り付けられており、レールユニット３６の内周部（内外レール）により略円形状の遊技領域が区画形成されている。遊技球発射ハンドル１９の操作に基づいて遊技球発射装置２１から発射された遊技球はレールユニット３６の誘導レールを通って遊技領域の上部に案内される。
【００１９】
遊技盤２４において表側の右下隅部には、遊技盤用の証紙ラベル３９が貼り付けられている。この証紙ラベル３９には、製造メーカ名、遊技機製造番号、及びそれらの各データを二次元コード化したＱＲコード（登録商標）が印刷等により記されている。なお、この証紙ラベル３９はガラス扉枠１３に設けた小窓１３ａを通じて、パチンコ機１０の前方から視認可能となっている。
【００２０】
次に、パチンコ機１０の背面側の構成について以下に説明する。図３に示すように、前記遊技盤２４の背面側下部には、供給電源を適宜他の装置等に供給するための電源装置４１が設けられている。電源装置４１の上方には遊技に関する各種制御を行う主制御装置４２と、貸球及び景品球の払出制御を行う払出制御装置４３とが左右に並設されている。上部タンク４４から上皿２０に至る球払出通路の中途位置には球払出装置４５が設けられており、球払出装置４５は払出制御装置４３からの払出指令に基づいて駆動制御されるようになっている。
【００２１】
主制御装置４２及び払出制御装置４３の上方となる可変表示装置２９の背面側には、可変表示装置２９の制御を行う表示制御装置４６が設けられ、さらにその近傍にはスピーカＳから出力される音声の制御、電飾部材１６に内装された発光手段の制御を行う音声ランプ制御装置４７が設けられている。これら表示制御装置４６及び音声ランプ制御装置４７は保護カバー４８によって覆われており、上部タンク４４等から落下してくる遊技球等から各制御装置を保護するようになっている。また、遊技盤２４の背面側において前記電源装置４１の左方には、遊技球の発射を制御する発射制御装置４９が設けられている。
【００２２】
また、前面枠１２において背面側の右下隅部には、枠用の証紙ラベル５０が貼り付けられている。この証紙ラベル５０には、製造メーカ名、遊技機製造番号、及びそれらの各データを二次元コード化したＱＲコード（登録商標）が印刷等により記されている。
【００２３】
次に、主制御装置４２の構成について以下に説明する。図４は主制御装置４２の横断面図である。主制御装置４２は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板５１を具備しており、主基板５１が透明樹脂材料等よりなる基板ボックス５２に収容されて構成されている。本実施の形態において、主基板５１上には、ＣＰＵ、ＲＯＭ及びＲＡＭを１チップ化したマイコンチップ５３が実装されている。
【００２４】
マイコンチップ５３には、チップ固有の識別番号（チップＩＤコード）があらかじめ格納されており、主制御装置４２に設けられたデータ読み出し端子に対してデータ読み取り装置を電気的に接続することによりチップＩＤコードの読み出しが可能となっている。この読み出しは、遊技機認証機関（警察機関等）や製造メーカにおいて専用の読み取り装置を用いて行われる。
【００２５】
基板ボックス５２は、略直方体形状のボックスベース５４と当該ボックスベース５４の開口部を覆うボックスカバー５５とを備えている。ボックスベース５４とボックスカバー５５とは封印手段としての封印ユニット５６によって開封不能に連結され、これにより基板ボックス５２が封印されている（ここでは、開封履歴を残さず開封することが不可であることを意味する）。封印ユニット５６としてはボックスベース５４とボックスカバー５５とを開封不能に連結する構成であれば任意の構成が適用できるが、ここではボックスベース５４及びボックスカバー５５にそれぞれ４つの封印部材を設けた構成となっており、この封印部材に係止爪を挿入することでボックスベース５４とボックスカバー５５とが開封不能に連結されるようになっている。
【００２６】
封印ユニット５６による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、封印ユニット５６を構成する４つの封印部材のうち、少なくとも一つの封印部材に係止爪を挿入することにより封印処理が行われる。そして、収容した主基板５１の不具合発生の際や主基板５１の検査の際など基板ボックス５２を開封する場合には、係止爪が挿入された封印部材と他の封印部材との連結を切断する。その後、再度封印処理する場合は他の封印部材に係止爪を挿入する。
【００２７】
基板ボックス５２において、封印ユニット５６の逆側の短辺部には、ボックスベース５４及びボックスカバー５５を跨ぐようにして封印シール６０が貼り付けられている。
【００２８】
ここで、封印シール６０の構成について図５及び図６を用いて説明する。図５は封印シール６０の表面側及び裏面側の構成を示す図であり。図６は封印シール６０の断面構成を示す図である。
【００２９】
封印シール６０は略矩形状のベースシート６１を備えており、ベースシート６１の背面には粘着剤が塗布され粘着層６２が形成されている。また、粘着層６２の一部にＩＣタグ６３が埋め込まれている。図６においては、粘着層６２の背面側に剥離シート６４が示されている。この剥離シート６４は封印シール６０を基板ボックス５２に貼り付ける際に剥がされるものであり、剥離シート６４を剥がすことにより封印シール６０の裏面側において粘着層６２が露出し、基板ボックス５２へのシール貼り付けが可能となっている。
【００３０】
ベースシート６１は、ポリエステル系フィルムなど、適度な脆性を有する可撓性樹脂フィルムにより形成されており、さらに溶剤や熱に対して反応性を有する。具体的には、粘着層６２を構成する粘着剤に対して溶解性を備えたトルエンなどがベースシート６１に塗布されると、ベースシート６１は変色する。また、粘着層６２の粘着力が低下する温度（例えば、５０℃）以上の熱が加えられた場合にもベースシート６１は変色する。これにより、基板ボックス５２から封印シール６０を不正に剥がそうとして溶剤がかけられたり、熱が加えられたりした場合、ベースシート６１が変色することで当該不正行為の痕跡を残すことができる。
【００３１】
粘着層６２の粘着剤は、従来の封印シールと同様に、一旦貼り付けされた後に剥がされる場合にベースシート６１から剥離される程度の粘着力を有している。したがって、封印シール６０が剥がされた場合には再度貼り付けすることが不可能となり、さらには粘着剤の一部が基板ボックス５２側に残ることとなる。よって、封印シール６０を不正に剥がした痕跡を残すことができる。
【００３２】
ＩＣタグ６３は、ＩＣチップ６５及びアンテナ部６６より構成されており、長尺状のアンテナ部６６の中央付近にＩＣチップ６５が配置されている。ＩＣチップ６５は集積回路として形成されるものであり、制御部及びメモリ領域を有する。メモリ領域は、データ書き換え不可な不揮発性メモリ（ＲＯＭ）により構成されており、その記憶容量は例えば１２８ｂｉｔとなっている。メモリ領域には、識別データとしてのＩＤ情報が格納されている。具体的には、製造メーカ名（又は複数のメーカごとに付されたメーカ固有番号）、固有のＩＤ番号が格納されている。ＩＣチップ６５のメモリ領域はデータ書き換え不可であるため、ＩＤ情報が不正に改ざんされる等の不都合が抑制できるようになっている。
【００３３】
アンテナ部６６は、アルミ等の金属薄層で形成されており、その厚みはＩＣチップ６５の厚みよりも薄い。また、アンテナ部６６は、共振周波数が１３５ｋＨｚ，１３．５６ＭＨｚ，９５３ＭＨｚ，２．４５ＧＨｚ等の一定周波数となるようにアンテナパターンとして作製されている。
【００３４】
ＩＣチップ６５のＩＤ情報は、制御部によって呼び出されてアンテナ部６６から発信することができるように構成されており、アンテナ部６６から発信されたＩＤ情報を、リーダ装置で受信して読み取ることができるようになっている。このＩＤ情報の読み取りについては後に説明する。
【００３５】
ＩＣタグ６３（アンテナ部６６）は、図５（ｂ）に示すように、ベースシート６１においてその一隅部側からその対角方向の隅部側に亘って斜めに配置されている。そして、封印シール６０がボックスベース５４及びボックスカバー５５に跨って貼り付けられているのに伴って、アンテナ部６６もボックスベース５４及びボックスカバー５５に跨っている。
【００３６】
封印シール６０には、アンテナ部６６の長手方向に沿って等間隔で並ぶ多数のアンテナ用切り込み６７が形成されている。アンテナ用切り込み６７は、アンテナ部６６の長手方向に対して略直交する方向に延びる直線状であり、ベースシート６１の表面側から粘着層６２の背面側まで貫通している（なお、図５（ａ）ではアンテナ用切り込み６７を省略して示している）。この場合に、アンテナ用切り込み６７は、アンテナ部６６に若干掛かるように形成されている。
【００３７】
以上説明した封印シール６０を剥がそうとする場合、アンテナ用切り込み６７が形成されていることによりアンテナ部６６が分断されることとなる。アンテナ部６６が分断されるとＩＤ情報がアンテナ部６６から送信され難くなるか、或いは全く送信されなくなる。これにより、ＩＤ情報をリーダ装置で読み取ることが著しく困難になるか、或いは完全に不可能となる。よって、封印シール６０を丁寧に剥がして基板ボックス５２を開封し、主基板５１に対して不正を行った後に、基板ボックス５２を封印して封印シール６０を再度貼ったとしても、当該不正行為を容易に発見することができる。
【００３８】
封印シール６０の４隅には、ベースシート６１の表面側から粘着層６２の背面側まで貫通する隅側切り込み６８がそれぞれ形成されている。詳細には、隅側切り込み６８は、封印シール６０の隅角の内側にて当該隅角に沿うようにしてＬ字状に形成されている。よって、封印シール６０の隅角側から剥がされたとしても、隅側切り込み６８から封印シール６０に破壊が生じ、不正行為の痕跡を残すことができる。
【００３９】
封印シール６０の外縁には、図５に示すように、外側端部から内側に向けて多数の外縁切り込み６９が形成されている。これら外縁切り込み６９は、内側から外側に向けて開くようにして鋭角のＶ字状となっており、さらに封印シール６０の外周に沿う方向に等間隔で形成されている。したがって、基板ボックス５２から封印シール６０を剥がそうとすると、外縁切り込み６９から封印シール６０に破壊が生じ、不正行為の痕跡を残すことができる。
【００４０】
また、ベースシート６１の表面には、図５（ａ）に示すように、インク塗布部７０、識別情報部７１及び機種情報部７２が設けられている。インク塗布部７０には、紫外線などといった特定の波長の光が照射されることにより模様が表れる特殊インクが塗布されている。識別情報部７１には、複数の英数字（アルファベット又は数字）が記載されており、当該識別情報部７１に記載される英数字は遊技機毎に異なるものとなっている。この場合に、識別情報部７１に記載される英数字はＩＣチップ６５に格納されているＩＤ情報と対応づけて規定されている。機種情報部７２には、当該遊技機の機種名や当該遊技機の製造メーカ名などが記載されている。
【００４１】
識別情報部７１に付される英数字について追記する。封印シール６０の製造過程において、当該封印シール６０にＩＣタグ６３が組み付けられた段階では未だ識別情報部７１に英数字が付されておらず、ＩＣタグ６３の組み付け後にリーダ装置によりタグＩＤ情報（ＩＣタグ６３に格納されたＩＤ情報）が読み取られると、その読み取られたタグＩＤ情報に関連付けて英数字がレーザ刻印等により印字される。なお、識別情報部７１に英数字を印字する作業は、ＩＣタグ６３のタグＩＤ情報が正常に読み取ることができたことを条件に行われ、仮にＩＣタグ６３のタグＩＤ情報が正常に読み取れなかった場合には、英数字の印字が行われない。この場合、該当する封印シール６０は破棄される。
【００４２】
また、主制御装置４２において基板ボックス５２のボックスカバー５５には、上記の封印シール６０（ＩＣタグ６３）以外に、情報ラベルとして識別シール７４が貼付されている。この場合、識別シール７４は、主制御装置４２（主基板５１）に関する固有情報（主基板ＩＤ情報）を記した情報ラベルであり、具体的には、製造メーカコード、製造番号、及びそれらの各データを二次元コード化したＱＲコード（登録商標）が印刷等により記されている。
【００４３】
払出制御装置４３は、主制御装置４２と同様の構成を備えている。すなわち、払出制御基板を収容する基板ボックス７５を備えており、基板ボックス７５には封印ユニット７６が設けられている。また、基板ボックス７５には、封印シール７７及び識別シール７８が貼り付けられている。この場合、主制御装置４２と払出制御装置４３とは、上述したように左右に並設されており、両制御装置４２，４３において互いに対峙する位置に各封印シール６０，７７が貼り付けられている。
【００４４】
払出制御装置４３の封印シール７７には、主制御装置４２における封印シール６０と同様にＩＣタグが埋め込まれている。このＩＣタグのアンテナ部は、主制御装置２７１に設けられたＩＣタグのアンテナ部と動作周波数が同一となるように作製されている。また、払出制御装置４３のＩＣタグには、主制御装置４２のＩＣタグ６３とは異なるＩＤ情報が格納されている。但し、これら主制御装置４２及び払出制御装置４３の各ＩＤ情報にはパチンコ機ＩＤ部と物品ＩＤ部とが設定されている。
【００４５】
この場合、パチンコ機ＩＤ部は遊技ホール等に出荷されているパチンコ機毎に設定されており、各ＩＤ情報が所定数の桁の番号で表される場合にはそのうちの一部の桁がパチンコ機ＩＤ部として割り当てられる。例えば、ＩＤ情報が「１００１」のように十進数で４桁の数字で設定されている場合には、２〜４桁目をパチンコ機ＩＤ部として設定することで、「０００」〜「９９９」の１０００通りのパチンコ機ＩＤ部を設定することが可能となる。なお、全遊技ホール等に出荷されているパチンコ機の台数は１０００台以上であることが想定されるため、ＩＤ情報の桁数を５桁以上とするとともに、パチンコ機ＩＤ部に割り当てる桁数を３桁以上としてもよい。同一のパチンコ機１０に設けられた主制御装置２７１のＩＣタグと払出制御装置３１１のＩＣタグとのパチンコ機ＩＤ部には、同一の番号等が付されている。
【００４６】
また、物品ＩＤ部は、パチンコ機１０においてＩＣタグの取り付け対象を表している。例えば、上記のようにＩＤ情報が十進数の４桁の数字で設定されている場合には、１桁目が物品ＩＤ部として設定することで、「０」〜「９」の１０通りの物品ＩＤ部を設定することが可能となる。さらに、例示すると、主制御装置２７１に設けられたＩＣタグのＩＤ情報を「１００１」とし、払出制御装置３１１に設けられたＩＣタグのＩＤ情報を「２００１」とした場合には、主制御装置２７１の物品ＩＤ部は「１」であり、払出制御装置３１１の物品ＩＤ部は「２」である。
【００４７】
次に、本パチンコ機１０の電気的構成について、図７のブロック図に基づいて説明する。
【００４８】
主制御装置４２には、上記のとおり演算装置であるマイコンチップ５３が搭載されている。マイコンチップ５３のＣＰＵには入出力ポートが接続されており、当該入出力ポートを介して普通入賞口２５、作動チャッカー２７、可変入賞装置２８、払出制御装置４３及び表示制御装置４６が接続されている。なお、これら以外にも、図７においては示さないが、スルーチャッカー２６や音声ランプ制御装置４７等も主制御装置４２に接続されている。
【００４９】
主制御装置４２においては、普通入賞口２５、作動チャッカー２７及び可変入賞装置２８から入賞検出信号を入力することで、払出制御装置４３に対して払出指令を出力する。払出制御装置４３ではその払出指令に応じた数の遊技球の払い出しを行うべく球払出装置４５を駆動制御する。
【００５０】
また、主制御装置４２においては、作動チャッカー２７から入賞検出信号を入力することで、大当たり状態へ移行させるか否かの抽選等を行い、その抽選結果に応じた表示指令を表示制御装置４６に対して出力する。表示制御装置４６ではその表示指令に応じた図柄の可変表示を行うべく図柄表示装置３１を表示制御する。そして、大当たり状態へ移行する場合には図柄表示装置３１にて同一図柄の組み合わせ等が停止表示される。また、大当たり状態へ移行した場合には、主制御装置４２から出力される信号に基づいて可変入賞装置２８の大入賞口が所定回数開放される。
【００５１】
次に、以上説明したパチンコ機１０の不正監視システムについて説明する。図８は遊技ホールにおける遊技島９０を示す正面図である。
【００５２】
図８に示すように、遊技ホールの遊技島９０には、多数のパチンコ機１０が設置されている。各パチンコ機１０は、ホール内ネットワークを介してホールコンピュータに接続されている。これにより、ホールコンピュータにおいて各パチンコ機１０における遊技状況が管理されている。なお、図８中、符号９１は、遊技ゲーム数や大当たり回数などを表示するためのデータカウンタであり、同データカウンタ９１には遊技島９０においてパチンコ機ごとの台番号が付されている。
【００５３】
また、遊技島９０には、２台のパチンコ機１０に対応させて１台のリーダ装置９２が設置されている。この場合、各リーダ装置９２は遊技島９０の内部に収容されており、遊技ホールにおいて露出していない。これにより、リーダ装置９０が持ち去られてしまう、又は不正なリーダ装置に交換されてしまうことを抑制できる。なお、遊技島９０においてリーダ装置９２の取り外し抑制構造を設けることで、不正なリーダ装置への交換等をより確実に抑制できる。
【００５４】
遊技島９０に設置された各リーダ装置９２は、各パチンコ機１０と同様にホール内ネットワークを介してホールコンピュータに接続されている。ホールコンピュータは、各リーダ装置９２から入力する情報に基づいて各パチンコ機１０に対する不正を監視する。そこで、以下にかかる不正監視に関する構成について説明する。
【００５５】
先ず不正監視システムに関する電気的構成について、図９のブロック図に基づいて説明する。なお、図９では、２台のパチンコ機１０、及びこれらパチンコ機１０に対応した１台のリーダ装置９２のホールコンピュータ９３に対する電気的構成について示すが、他のパチンコ機１０及び他のリーダ装置９２についても同様である。また、図９においては省略して示すが、各パチンコ機１０は上記のとおりホールコンピュータ９３に接続されている。
【００５６】
ホールコンピュータ９３は、演算処理手段であるＣＰＵ９４を備えている。ＣＰＵ９４には、このＣＰＵ９４によって実行される各種の制御プログラムや、各パチンコ機１０に設けられた各ＩＣタグ６３，７９のＩＤ情報といった固定値データ等を記憶したＲＯＭ９５と、このＲＯＭ９５内に記憶されている制御プログラムを実行するに当たって各種のデータを一時的に記憶する作業エリアを確保するためのＲＡＭ９６などが内蔵されている。なお、各ＩＣタグ６３，７９のＩＤ情報といった固定値データ等を記憶する手段はＲＯＭに限定されることはなく、例えば、ハードディスクや、ＥＥＰＲＯＭや、フラッシュメモリ等であってもよい。
【００５７】
ＣＰＵ９４には各種信号を入出力するための入出力ポート９７が接続されている。また、ホールコンピュータ９３には表示装置９８が設けられており、当該表示装置９８はＣＰＵ９４の出力側に接続されている。つまり、ＣＰＵ９４における処理に基づいて表示装置９８において各種の表示が行われる。
【００５８】
ＣＰＵ９４の入力側及び出力側には、リーダ装置９２が接続されている。リーダ装置９２は、その内部にＣＰＵ１０１、ＲＦ回路１０２、及びリーダアンテナ１０３を備えている。ＣＰＵ１０１はＲＦ回路１０２に接続されており、ＲＦ回路１０２はリーダアンテナ１０３に接続されている。ＣＰＵ１０１には、当該ＣＰＵ１０１により実行される各種の制御プログラムや固定値データを記憶したＲＯＭと、そのＲＯＭ内に記憶される制御プログラムの実行に際して各種のデータ等を一時的に記憶するためのメモリであるＲＡＭが内蔵されている。
【００５９】
リーダ装置９２のＣＰＵ１０１はホールコンピュータ９３から開始信号を入力することにより、ＲＦ回路１０２を駆動してリーダアンテナ１０３から所定周波数の呼出波を発信させる。この発信された呼出波により誘導電磁界が形成される。誘導電磁界が形成される範囲内には、対応する各パチンコ機１０に設けられた主制御装置４２及び払出制御装置４３が含まれている。つまり、各主制御装置４２及び各払出制御装置４３に設けられたＩＣタグ６３，７９が含まれている。
【００６０】
各パチンコ機１０のＩＣタグ６３，７９に設けられたアンテナ部６６，７９ｂは、対応するリーダ装置９２から発信される呼出波の周波数に合わせて作製されている。すなわち、所定の１組のパチンコ機１０，１０における各アンテナ部６６，７９ｂは対応するリーダ装置９２から発信される呼出波の第１周波数（例えば、２．４５ＧＨｚ）に合わせて作製されており、他の１組のパチンコ機１０，１０における各アンテナ部６６，７９ｂは対応するリーダ装置９２から発信される呼出波の第２周波数（例えば、１３．５６ＭＨｚ）に合わせて作製されている。
【００６１】
リーダ装置９２から発信される呼出波によって誘導電磁界が形成されることで、各アンテナ部６６，７９ｂにおいて電磁誘導により起電力が発生する。各ＩＣタグ６３，７９の各ＩＣチップ６５，７９ａでは、この起電力を電源としてメモリ領域に記憶されているＩＤ情報を呼び出して各アンテナ部６６，７９ｂからＩＤ情報を含んだ応答波を発信し、この発信された応答波はリーダ装置９２のリーダアンテナ１０３にて受信される。この受信した応答波に内在したＩＤ情報はリーダ装置９２のＣＰＵ１０１にて読み込まれ、ＣＰＵ１０１は当該ＩＤ情報をホールコンピュータ９３に出力する。なお、リーダ装置９２から出力される情報のセキュリティ性を高めるには、情報出力時において出力情報の暗号化などの処置が適宜施されると良い。
【００６２】
上記構成において、各パチンコ機１０の主制御装置４２や払出制御装置４３が不正な制御装置に交換された場合には、応答波の発信は行われない。また、主制御装置４２や払出制御装置４３の基板ボックス５２，７５が不正に開放された場合には、ＩＣタグ６３，７９のアンテナ部６６，７９ｂが分断され、アンテナ部６６，７９ｂからの応答波の発信は行われない。これらの場合、ホールコンピュータ９３のＣＰＵ９４においては、不正が行われたパチンコ機１０に対応するＩＤ情報がリーダ装置９２から出力されないことに基づいて、そのパチンコ機１０における主制御装置４２や払出制御装置４３に対して不正行為が行われたことを把握する。そして、ホールコンピュータ９３に設けられた表示装置９８においてエラー表示を行う。
【００６３】
なお、以上の構成では１台のリーダ装置９２に対して２台のパチンコ機１０を割り当てたが、この割り当てるパチンコ機１０の台数は任意である。すなわち、リーダ装置９２におけるＩＤ情報の読み取り範囲は、呼出波の電波強度を大きくすることで広くすることができる。また、ＩＣタグからの応答波の電波強度は呼出波の電波強度に依存しており、ＩＣタグからの応答波は呼出波の発信元のリーダ装置に到達する。したがって、リーダ装置における呼出波の電波強度を上記構成のリーダ装置９２よりも大きくすることで、１台のリーダ装置９２に割り当てるパチンコ機１０の台数を３台以上とすることができる。
【００６４】
また、１台のリーダ装置９２に割り当てるパチンコ機１０の台数の多数化は、微弱な電波の呼出波であってもＩＣタグ６３，７９において起電力が発生するようにするとともに、リーダ装置９２において微弱な電波の応答波を受信できるようにすることで実現可能である。但し、この場合、ＩＣタグ６３，７９やリーダ装置９２においてノイズの影響が大きくなるため、ノイズ対策を講じる必要がある。電波のノイズ対策については周知の構成であるため説明を省略する。
【００６５】
次に、ホールコンピュータ９３のＣＰＵ９４により実行される不正検出処理を図１０のフローチャートを参照しながら説明する。
【００６６】
不正検出処理においては先ずステップＳ１１にて、ホールコンピュータ９３のＲＡＭ９６に設けられた待機中フラグ格納エリアに待機中フラグがセットされているか否かを判定する。待機中フラグはホールコンピュータ９３が各リーダ装置９２に対して開始信号を出力することでセットされ、停止信号を出力することでクリアされるフラグである。そして、各リーダ装置９２は、開始信号を入力することで呼出波を発信し、停止信号を入力することで呼出波の発信を停止する。したがって、待機中フラグがセットされている間は各リーダ装置９２からのＩＤ情報の入力待ち状態となる。
【００６７】
待機中フラグがセットされていない場合には、ステップＳ１２及びステップＳ１３の不正検出設定処理を実行する。一方、待機中フラグがセットされている場合には、ステップＳ１４〜ステップＳ１９の不正検出判定処理を実行する。
【００６８】
不正検出設定処理では、先ずステップＳ１２にて前回の待機中フラグのクリア処理が実行されてから５ｍｉｎが経過したか否かを判定する。経過していない場合には、そのまま本処理を終了する。経過している場合には、ステップＳ１３を実行した後に本処理を終了する。ステップＳ１３では、各リーダ装置９２に対して開始信号を出力する。これにより、各リーダ装置９２のＣＰＵ１０１はＲＦ回路１０２を駆動し、リーダアンテナ１０３から所定周波数の呼出波を発信させる。また、ステップＳ１３では待機中フラグをセットする。即ち、本不正監視システムでは、所定周期で各リーダ装置９２から呼出波が発信される。
【００６９】
不正検出設定処理にて待機中フラグがセットされることにより、次回の不正検出処理ではステップＳ１１にて肯定判定をする。これにより、不正検出判定処理を開始する。不正検出判定処理では、先ずステップＳ１４にて各リーダ装置９２からＩＤ情報を入力したか否かを判定する。ＩＤ情報を入力している場合には、ステップＳ１５にてＩＤ情報確認処理を実行する。
【００７０】
ＩＤ情報確認処理では、各パチンコ機１０の主制御装置４２及び払出制御装置４３からＩＤ情報を入力したか否かを個別に判定し、入力していた場合には対応するフラグをセットする。つまり、ホールコンピュータ９３のＲＯＭ９５には、図１１（ａ）に示すように、各パチンコ機１０の主制御装置４２及び払出制御装置４３に対応させてＩＤ情報が記憶されている。この場合、各ＩＤ情報は４桁の番号により設定されており、１桁目が上述した物品ＩＤ部に該当し、２〜４桁目がパチンコ機ＩＤ部に該当する。なお、ＩＤ情報の桁数は４桁に限定されることはなく、５桁以上であってもよい。また、ホールコンピュータ９３のＲＡＭ９６には、図１１（ｂ）に示すように、各パチンコ機１０の主制御装置４２及び払出制御装置４３に対応させて確認フラグ格納エリアが設けられている。そして、ＩＤ情報確認処理では入力したＩＤ情報に対応した確認フラグをセットする。
【００７１】
ステップＳ１５のＩＤ情報確認処理を実行した後は、ステップＳ１６にて全ＩＤ情報を入力したか否かを判定する。つまり、全確認フラグがセットされているか否かを判定する。全確認フラグがセットされている場合には、不正行為が行われていないことを意味するため、ステップＳ１７に進む。
【００７２】
ステップＳ１７では、先ず各リーダ装置９２に対して停止信号を出力する。これにより、リーダ装置９２のＣＰＵ１０１はＲＦ回路１０２の駆動を停止し、リーダアンテナ１０３からの呼出波の発信を停止させる。また、ステップＳ１７では、待機中フラグをクリアする。その後、本処理を終了する。
【００７３】
一方、ステップＳ１４又はステップＳ１６にて否定判定をした場合は、ステップＳ１８に進む。つまり、ＩＤ情報を入力していない場合、又は全ＩＤ情報の入力が完了していない場合には、ステップＳ１８に進む。ステップＳ１８ではステップＳ１３にて待機中フラグをセットしてから１ｓｅｃが経過したか否かを判定する。
【００７４】
ステップＳ１８にて１ｓｅｃが経過していない場合には否定判定をし、そのまま本処理を終了する。一方、１ｓｅｃが経過していた場合には、いずれかのパチンコ機１０の主制御装置４２又は払出制御装置４３に対して不正行為が行われたことを意味するため、ステップＳ１９にてエラー表示処理を実行した後に本処理を終了する。
【００７５】
エラー表示処理では、ホールコンピュータ９３の表示装置９８にて、ＩＤ情報を入力しなかったパチンコ機１０の台番、及び主制御装置４２又は払出制御装置４３のいずれであるのかを特定した態様の表示を行う。例えば、「ｊ番台の主制御装置に対してエラー発見」などといった表示を行う。これにより、遊技ホールの管理者などは不正の有無を容易に発見することができる。かかるエラー表示処理はホールコンピュータ９３に設けられた確認ボタンが操作されるまで継続される。
【００７６】
以上詳述した第１の実施の形態によれば、以下の優れた効果を奏する。
【００７７】
パチンコ機１０の制御装置にＩＣタグを取り付けたことにより、不正な制御装置への交換等といった不正行為が行われたか否かをＩＤ情報の読み取りを行うことで確認することができる。この場合に、複数台のパチンコ機１０に対して１台のリーダ装置９２を設け、ホールコンピュータ９３の制御に基づいて各リーダ装置９２から所定周期で呼出波を発信するようにした。そして、呼出波を発信してから予め定められた期間内に各ＩＤ情報をホールコンピュータ９３が入力しなかった場合には、エラー表示を行うようにした。かかる構成とすることにより、遊技ホールの管理者等がＩＤ情報の読み取り作業を行う必要はなく、ＩＤ情報の読み取りに基づいた不正行為の確認を良好に行うことができる。
【００７８】
また、複数台のパチンコ機１０に対して１台のリーダ装置９２を設けることで、パチンコ機１０毎にリーダ装置９２を設ける場合に比べ、コストの低減を図ることができる。さらに、パチンコ機１０にリーダ装置９２を設置するのではなく、遊技島９０にリーダ装置９２を設置することで、パチンコ機１０の入れ替え時などにおいて既存のリーダ装置９２を流用することができる。かかる観点からも、コストの低減を図ることができる。
【００７９】
（第２の実施の形態）
以下、本実施の形態におけるパチンコ機１０の不正監視システムについて説明する。本実施の形態におけるパチンコ機１０においては、上記第１の実施の形態と同様に各種のＩＤ情報が付されており、それら各ＩＤ情報によりパチンコ機１０の管理が可能となっている。これら各種のＩＤ情報についてあらためて以下に記述する。
（１）遊技盤用の証紙ラベル３９に記された遊技盤ＩＤ情報…同ラベル３９は遊技盤２４に貼付され、遊技盤ＩＤ情報として遊技盤２４の製造メーカ名（例えば、（株）××物産）、遊技機製造番号（例えば、No.１２３４５６７）、及びそれらの各データを二次元コード化したＱＲコードが記されている。
（２）枠用の証紙ラベル５０に記された枠ＩＤ情報…同ラベル５０は前面枠１２に貼付され、枠ＩＤ情報として前面枠１２の製造メーカ名（例えば、（株）××物産）、遊技機製造番号（例えば、No.１２３４５６７）、及びそれらの各データを二次元コード化したＱＲコードが記されている。
（３）主側識別シール７４に記された主基板ＩＤ情報…識別シール７４は主制御装置４２の基板ボックス５２に貼付され、主基板ＩＤ情報として製造メーカコード（例えば、ＳＹ−Ｆ）、製造番号（例えば、No.１２３４５６７）、及びそれらの各データを二次元コード化したＱＲコードが記されている。
（４）払出側識別シール７８に記された払出制御基板ＩＤ情報…識別シール７８は払出制御装置４３の基板ボックス７５に貼付され、払出制御基板ＩＤ情報として製造メーカコード（例えば、ＳＹ−Ｆ）、製造番号（例えば、No.１２３４５６７）、及びそれらの各データを二次元コード化したＱＲコードが記されている。
（５）主側ＩＣタグ６３のタグＩＤ情報…ＩＣタグ６３は主制御装置４２の封印シール６０に埋め込まれ、タグＩＤ情報として製造メーカ名、固有のＩＤ番号が格納されている。
（６）払出側ＩＣタグ７９のタグＩＤ情報…ＩＣタグ７９は払出制御装置４３の封印シール７７に埋め込まれ、タグＩＤ情報として製造メーカ名、固有のＩＤ番号が格納されている。
（７）マイコンチップ５３に格納されたチップＩＤ情報…マイコンチップ５３は主制御装置４２の主基板５１に実装され、チップＩＤ情報としてチップ固有番号等が記憶されている。
【００８０】
上記（１）〜（７）の各情報は、製造メーカにおいてパチンコ機１０の製造段階ですべてパチンコ機ごとに付与され、ラベル等の貼付が行われる。ただし、上記（７）のチップＩＤ情報に関しては、遊技機製造メーカでなく、チップ製造メーカにおいてチップ固有番号等の書き込みが行われる。そしてパチンコ機の組立完了後には、パチンコ機１０が梱包され、遊技ホールなど、指定の供給先に出荷される。かかる場合において、上記（１）〜（７）の各情報は、製造メーカでパチンコ機ごとに対応させて遊技機管理データとして登録され、非公開データとして記憶保持される。このとき、遊技機管理データとして、パチンコ機１０ごとに出荷先、出荷日時に関する出荷データも併せて登録される。
【００８１】
遊技ホールなどにおいてパチンコ機１０を新規に設置する場合には、当該遊技ホールの管理者などによって、製造メーカから出荷され納品されたパチンコ機個々に各種ＩＤ情報の確認が行われる。このとき、ハンディタイプのリーダ装置を用いて各種ＩＤ情報の読み取りが行われるとともに、その読み取った各種ＩＤ情報が遊技ホールの管理コンピュータを介して前記遊技機管理データと照合され、パチンコ機１０が真正品であるか否かなどの確認（認証）が行われる。これにより、パチンコ機１０の搬送途中において当該パチンコ機が不正品に差し替えられたりしても、その不正品の判定が可能となる。
【００８２】
ただし、上記（１）〜（７）の各情報のうち、遊技ホールの管理者などによって読み取られるＩＤ情報は（１）〜（６）の情報であり、（７）の情報に関しては、特定の遊技機認証機関（警察機関等）において読み取られる情報となっている。
【００８３】
以下、不正監視システムの詳細について図面を用いながら詳しく説明する。図１２は本実施の形態における不正監視システムの概要を示す構成図である。
【００８４】
図１２において、遊技ホールＨには多数のパチンコ機１０が設置されている。パチンコ機１０には各々、前述したとおり主制御装置４２等においてラベル片等によって各種ＩＤ情報が付与されている。リーダ装置１１１は、ハンディタイプのリーダであり、証紙ラベル３９，５０や識別シール７４，７８のＱＲコード情報を読み取るためのＱＲコード読み取り機能と、ＩＣタグ６３，７９のタグＩＤ情報を読み取るためのタグ情報読み取り機能とを有している。
【００８５】
リーダ装置１１１は、上記のラベルやシール等に近接することにより、非接触の状態で各種情報の読み取りが可能となっている。リーダ装置１１１には、各種ボタン類よりなり管理者等が入力操作を行う操作部１１１ａと、液晶画面等よりなる表示部１１１ｂとが設けられている。なお、リーダ装置１１１の不正使用を抑制するために、リーダ装置１１１の使用開始に際して所定のパスワードの入力を要求するようにしてもよい。
【００８６】
管理コンピュータ１１２は、パチンコ機１０の管理プログラムを有する電子演算装置であり、リーダ装置１１１に接続されることで同リーダ装置１１１の読み取り情報（各種ＩＤ情報）を読み込むことができるようになっている。図１２中、符号９１は、遊技ゲーム数や大当たり回数などを表示するためのデータカウンタであり、同データカウンタ９１には、遊技ホールＨにおいてパチンコ機ごとの台番号が付されている。
【００８７】
ちなみに、遊技ホールＨには各パチンコ機１０の出玉管理等を行う、いわゆる「ホールコンピュータ」が設けられているが、上記の管理コンピュータ１１２はホールコンピュータとは別装置として構成されており、例えばノート型パソコンで具現化される。
【００８８】
一方、遊技ホールＨには、一般に複数の製造メーカのパチンコ機が設置されており、そのメーカごとに管理サーバ装置が設けられている。本実施の形態では、各メーカＭ１，Ｍ２，Ｍ３…に管理サーバ装置としてのデータサーバ１１３が設けられており、遊技ホールＨ側の管理コンピュータ１１２と各メーカＭ１，Ｍ２，Ｍ３…のデータサーバ１１３との間で双方向の通信が可能となっている。各データサーバ１１３には、パチンコ機１０の出荷前に登録した管理データ（上記（１）〜（６）の各情報、「初期登録データ」とも言える）が記憶保持されている。管理データには、出荷先の遊技ホール名（店名）、出荷日時の情報も併せて登録されている。なお、遊技ホールで設置する台番号が分かっている場合には、その台番号の情報も併せて登録されると良い。
【００８９】
遊技ホールＨ側の管理コンピュータ１１２とメーカＭ側の各データサーバ１１３との間の通信手段は任意であり、汎用の通信回線や専用回線を用いる有線通信、又は無線通信が適宜適用できる。なお、管理データのセキュリティ性を高めるには、データ送信時において送信データの暗号化などの処置が適宜施されると良い。
【００９０】
上記構成の不正監視システムでは、遊技ホールＨにおいて、管理者等によって、リーダ装置１１１を用いてパチンコ機１０の各種ＩＤ情報が読み取られる。具体的には、リーダ装置１１１のＱＲコード読み取り機能によって、上記（１）〜（４）のＱＲコード情報が読み取られる。また、同リーダ装置１１１のタグ情報読み取り機能によって、上記（５），（６）のタグＩＤ情報が読み取られる。このとき、上述したように主制御装置４２と払出制御装置４３との各ＩＣタグは近接させて配置されているため、両ＩＣタグからのＩＤ情報を同時に読み取ることも可能である。
【００９１】
リーダ装置１１１によって読み取られたＱＲコード情報やタグＩＤ情報（上記（１）〜（６）の各情報）は管理コンピュータ１１２に対して逐次送信される。この場合詳しくは、リーダ装置１１１から管理コンピュータ１１２へは、パチンコ機１０について都度管理対象とされる複数台の読み取りデータがまとめて送信される。このとき、同一機種単位、又は同一メーカ単位で区別されてデータ送信が行われる。ただし、その読み取りデータの送信はパチンコ機１０について１台ずつ行われても良い。
【００９２】
上記のように遊技ホールＨ側（管理コンピュータ１１２）で読み取られたパチンコ機１０の各種ＩＤ情報は、その日時、メーカ名（又はメーカコード）、機種名（又は機種コード）、台番などのデータと共に、管理コンピュータ１１２内のメモリに格納される。このとき、管理コンピュータ１１２は、各種ＩＤ情報（上記（１）〜（６）の各情報）を解析することで、メーカ名（又はメーカコード）や機種名（又は機種コード）を認識すると良い。かかる場合さらには、管理コンピュータ１１２は、メーカ名（又はメーカコード）や機種名（又は機種コード）の認識後、メーカごと又は機種ごとに各種ＩＤ情報を分別すると良い。ただし、管理者等の入力操作により、同メーカ名（又はメーカコード）や機種名（又は機種コード）を認識する構成であっても良い。
【００９３】
そしてその後、遊技ホールＨ側（管理コンピュータ１１２）から製造メーカＭ側（データサーバ１１３）に対して各種ＩＤ情報の送信が行われる。この場合、送信データには、各種ＩＤ情報としての上記（１）〜（６）の読み取り情報に加え、日時、メーカ名（又はメーカコード）、機種名（又は機種コード）、台番などのデータが含まれる。
【００９４】
製造メーカＭ側（データサーバ１１３）では、遊技ホールＨ側から受信した各種ＩＤ情報と、登録済みの管理データ（初期登録データ）との照合によりパチンコ機１０の認証が行われる。この場合、各種ＩＤ情報と管理データとが整合し、認証ＯＫとなればその旨の認証結果が遊技ホールＨ側に返信される。また、各種ＩＤ情報と管理データとで不整合などのエラーが生じると、そのエラー情報が遊技ホールＨ側に返信される。遊技ホールＨ側（管理コンピュータ１１２）では、上記のエラー情報を受信すると、そのエラー内容をディスプレイ等に表示する。
【００９５】
次に、遊技ホールＨ側の管理コンピュータ１１２、及び製造メーカＭ１，Ｍ２，Ｍ３…側のデータサーバ１１３（同サーバの制御部）で各々実行されるパチンコ機管理処理手順について説明する。図１３は、遊技ホールＨ側の管理コンピュータ１１２により実行されるパチンコ機管理処理を示すフローチャートであり、図１４は、各メーカＭ側のデータサーバ１１３で実行されるパチンコ機管理処理を示すフローチャートである。特に図１３（ａ）は遊技ホールＨからメーカＭへのＩＤ情報送信を含む処理であり、同（ｂ）はメーカＭから遊技ホールＨへの認証結果返信を含む処理である。本不正監視システムでは、遊技ホールＨからメーカＭへのＩＤ情報送信→メーカＭでの認証処理→メーカＭから遊技ホールＨへの認証結果返信の順に処理が進む。故に以下には、図１３（ａ）→図１４→図１３（ｂ）の順に各処理を説明する。
【００９６】
図１３（ａ）において、まずステップＳ２１では、リーダ装置１１１から読み取り情報の受付を許可する。これにより、管理者等の操作に伴いリーダ装置１１１により読み取られた各種ＩＤ情報が管理コンピュータ１１２に取り込まれる。
【００９７】
その後、ステップＳ２２では、情報読み取り対象となる全パチンコ機について各種ＩＤ情報（具体的には、上記の（１）〜（６）の情報）をすべて取得したか否かを判定する。情報取得が未完であれば、そのまま本処理を一旦終了する。また、情報取得が完了していれば、後続のステップＳ２３に進む。なお、情報読み取り対象となるパチンコ機は、管理者等による管理コンピュータ１１２の入力操作によって定められると良い。
【００９８】
ステップＳ２３では、メーカＭ側のデータサーバ１１３に対して前記取得した各種ＩＤ情報を送信する。このとき、製造メーカＭが同一であるパチンコ機１０ごとに各種ＩＤ情報を送信する。また、今回認証を行うパチンコ機のメーカ情報（メーカコード）及び機種情報を併せて送信する。
【００９９】
一方、図１４において、ステップＳ４１では、遊技ホールＨ側から各種ＩＤ情報を受信したか否かを判定する。情報受信した場合、ステップＳ４２に進み、情報受信していない場合、そのまま本処理を終了する。ステップＳ４２では、今回該当する管理データを読み出す。このとき、遊技ホールＨ側からの受信情報に含まれるメーカ情報及び機種情報に対応させて管理データの読み出しを行う。
【０１００】
その後、ステップＳ４３では、遊技ホールＨ側からの受信情報（パチンコ機のＩＤ情報）と管理データとを照合することにより、所定の認証処理を実施する。認証結果は、データサーバ１１３において認証履歴として累積的に記憶保持される。なお、次回以降、認証履歴（認証の過去データ）を参照して認証処理を行う構成としても良い。最後に、ステップＳ４４では、認証結果を遊技ホールＨ側に送信する。
【０１０１】
また、図１３（ｂ）において、ステップＳ３１では、メーカＭ側から認証結果を受信したか否かを判定する。認証結果を受信した場合、ステップＳ３２に進み、認証結果を受信していない場合、そのまま本処理を終了する。ステップＳ３２では、認証結果の記憶及び表示を実施する。
【０１０２】
以上詳述した第２の実施の形態によれば、以下の優れた効果を奏する。
【０１０３】
パチンコ機１０の不正監視システムとして、遊技ホールＨへのパチンコ機１０の出荷前に、パチンコ機１０ごとに各種ＩＤ情報を付与してそのＩＤ情報の管理データを作成しておき、同パチンコ機１０の出荷後において、リーダ装置１１１により読み取った各種ＩＤ情報と、前記管理データとに基づいてパチンコ機１０の管理を実施するようにした。パチンコ機１０の出荷後（ホール納品後）を考えると、その搬送途中や、遊技ホール等の非営業時間帯（夜間、休日など）においてパチンコ機１０に対して主制御装置４２を不正品に交換するなどの不正行為が行われる可能性がある。この場合、近年の不正行為の高度化に伴い、外観上は何ら変化のない状態で不正行為が行われる。この点本不正監視システムによれば、出荷前に作成された各種ＩＤ情報の管理データとの比較により真正品の判定が可能となる。したがって、外観上は何ら変化のない状態であっても、真正品か不正品かの判定を正しく行うことができる。その結果、遊技ホールＨにおいて信頼性の高いパチンコ機管理を実施することができる。
【０１０４】
製造メーカＭをデータ保管機関として定め、製造メーカＭと遊技ホールＨとの間で各種ＩＤ情報をやり取りしてパチンコ機１０の認証を行うようにした。この場合、各種ＩＤ情報の照合及び認証は製造メーカＭに委託されるため、その照合及び認証自体を不正に行わせることが抑止できる。また、パチンコ機１０の出荷先である遊技ホールＨ以外で認証のための管理データが保管されるため、管理データ自体に不正が及ぶ懸念が払拭される。したがって、パチンコ機１０の管理の信頼性を高めることができる。
【０１０５】
パチンコ機１０ごとに複数のラベルやシール等を取り付け、それらにより複数のＩＤ情報（上記（１）〜（６）の情報）を付したため、パチンコ機１０の管理の信頼性を高めることができる。つまり、パチンコ機１０ごとに、ラベルやシール等並びにＩＤ情報が複数存在する場合、真正品であると偽ろうとしてもそれが困難なものとなる。したがって、パチンコ機１０が真正品であることの信憑性が高められる。
【０１０６】
（他の実施の形態）
なお、上述した実施の形態の記載内容に限定されず、例えば次のように実施してもよい。
【０１０７】
・上記各実施の形態において、マイコンチップ５３にＩＣタグを取り付けるようにしてもよい。マイコンチップ５３へのＩＣタグの取り付け方法としては、マイコンチップ５３の表面にＩＣタグを貼り付ける方法や、マイコンチップ５３にＩＣタグを埋設する方法が考えられる。このようにマイコンチップ５３にＩＣタグを取り付けることにより、マイコンチップ５３が不正なチップに交換されたとしても、リーダ装置によりマイコンチップ５３からＩＤ情報を読み取ることで当該不正交換を容易に発見することができる。
【０１０８】
また、基板ボックス５２に取り付けられたＩＣタグ６３のＩＤ情報と、マイコンチップ５３に取り付けられたＩＣタグのＩＤ情報とを対応付けて管理するようにしてもよい。この場合、基板ボックス５２側のＩＣタグ６３を破壊することなく巧妙に不正基板への交換や不正チップへの交換が行われたとしても、基板ボックス５２側のＩＤ情報とマイコンチップ５３側のＩＤ情報とを比較することで上記不正行為を容易に発見することができる。
【０１０９】
・上記各実施の形態においては、主制御装置４２及び払出制御装置４３にＩＣタグを取り付けたが、これら以外にも、可変入賞装置２８や球払出装置４５等にＩＣタグを取り付けてもよい。これら可変入賞装置２８や球払出装置４５は遊技球の払い出しに関わる装置であり、これらを不正装置に交換し不正に遊技球の払い出しを発生させようとする行為が想定される。これに対して、可変入賞装置２８や球払出装置４５等にＩＣタグを取り付けることで、不正装置に交換された場合にはそれを容易に発見することができる。
【０１１０】
・証紙ラベル３９，５０や識別シール７４，７８にＱＲコードを記す代わりに、ＩＣタグを取り付けてもよい。この場合、上記第１の実施の形態における不正監視システムにおいては、主制御装置４２や払出制御装置４３からだけではなく、前面枠１２などからもＩＤ情報を読み取ることができ、パチンコ機１０の管理をより良好に行うことができるようになる。
【０１１１】
また、上記第２の実施の形態における不正監視システムにおいては、リーダ装置１１１によりＱＲコードを読み取る必要はなく、リーダ装置１１１はタグ情報読み取り機能のみを有していればよい。よって、リーダ装置１１１の構成の簡素化を図ることが可能となる。さらには、ＱＲコード及びタグＩＤ情報等複数の異なる情報形態が混在する場合に比べ、情報形態を統一できることから、リーダ装置１１１による情報読み取り時における作業性を向上させることができる。
【０１１２】
・上記各実施の形態ではリーダ装置から所定周波数の呼出波を発信することでＩＣタグからＩＤ情報を含んだ応答波が発信され、ＩＤ情報の読み取りが可能となる構成としたが、これを変更してもよい。例えば、リーダ装置からは所定周波数の呼出波とともに、呼び出し信号を発信するようにする。そして、ＩＣタグは、所定周波数の呼出波によって起電力が発生したとしてもアンテナ部にて呼び出し信号を受信しない限り応答波を発信しないようにする。かかる構成とすることにより、不正なリーダ装置を用いてＩＣタグからＩＤ情報を読み取ろうとする行為を抑制することが可能となる。仮に、不正なリーダ装置を用いてＩＤ情報を読み取られるとＩＣタグの偽造に繋がるおそれがあるが、本構成によればＩＣタグの偽造を抑制することが可能となる。
【０１１３】
・上記各実施の形態では、ＩＣタグ６３を有する封印シール６０を、主制御装置４２の基板ボックス５２外面に貼り付ける構成としたが、この構成を変更する。例えば、同基板ボックス５２の内面側に貼り付けても良い。また、基板ボックス５２を構成する樹脂材にＩＣタグ６３を埋設しても良い。さらに、ＩＣタグ６３を有するシール部材を基板部材に直接貼り付けても良い。
【０１１４】
・ＩＣタグ６３，７９におけるＩＣチップ６５，７９ａのメモリ領域をデータ書き換え不可な不揮発性メモリにより構成したが、これに代えて、データ書き換え可能なメモリにより構成してもよい。また、リーダ装置９２，１１１に代えて、データの読み取りだけでなく、データの書き換えが可能なリーダ／ライタ装置を設ける構成としてもよい。かかる構成においては、データの書き換えを行った際にホールコンピュータ９３やデータサーバ１１３における管理データの更新を行うようにすることで、データの書き換えを行った後もパチンコ機１０に対する不正監視を行うことができる。
【０１１５】
・上記第１の実施の形態においては、各リーダ装置９２において５ｍｉｎ周期でＩＤ情報の読み取りを行うようにしたが、これに代えて、ＩＤ情報の読み取りを常時行うようにしてもよい。
【０１１６】
・上記第１の実施の形態において、ホールコンピュータ９３が不正検出処理を実行するのではなく、各リーダ装置９２が不正検出処理を実行する構成としてもよい。
【０１１７】
・上記第２の実施の形態では、遊技ホールＨ側のパチンコ機管理装置として、リーダ装置１１１と管理コンピュータ１１２とを設けたが、この構成を変更する。例えば、上述した管理コンピュータ１１２の管理処理機能をリーダ装置１１１に付加する構成としても良い。この場合、リーダ装置１１１に通信機能を持たせ、メーカＭ側のデータサーバ１１３との間で双方向通信を行わせると良い。
【０１１８】
・上記第２の実施の形態では、製造メーカ（Ｍ１，Ｍ２，Ｍ３…）をデータ保管機関として定め、そのメーカごとにデータサーバ１１３を設置したが、これを変更する。例えば、複数の製造メーカにより構成される遊技機管理組合をデータ保管機関として定め、その遊技機管理組合のデータサーバにより、各メーカの管理データを統括管理すると良い。つまり、データ保管機関として製造メーカではないデータ管理用の第３者機関を設け、当該第３者機関にて各メーカの管理データを統括管理すると良い。この場合、遊技ホール等で読み取られた識別情報の送信先が共通となり、システム構成の簡素化が可能となる。
【０１１９】
・製造メーカや遊技機管理組合等のデータ保管機関から遊技ホール等に対して管理リクエスト信号を送信する一方、遊技ホール等において管理リクエスト信号に応じて各種ＩＤ情報の読み取り及び該読み取ったＩＤ情報の返信を行わせる構成としても良い。この場合、遊技ホール等の外部からの管理操作が可能となる。したがって、よりシビアなパチンコ機の管理が実現できる。
【０１２０】
・封印シール６０において、ＩＣチップ６５から延びる長尺状のアンテナ部６６を直線状とする以外に、細かなうねりや凹凸を有する略直線状としたり、弧状としたりすることも可能である。また、封印シール６０の形状を、菱形状、円形状（楕円状を含む）、三角状、Ｌ字状、十字状などに変更することも可能である。
【０１２１】
その他、封印シール６０の別形態として、ベースシート６１に形成したアンテナ用切り込み６７、隅側切り込み６８、外縁切り込み６９の形状や大きさなどを変更したり、それらの少なくともいずれかを無くしたりした構成としても良い。
【０１２２】
・上記各実施の形態では、図柄表示装置４１を備えたパチンコ機１０に対して本発明を適用したが、それ以外のタイプのパチンコ機に適用してもよい。例えば、遊技球転動部や有利口などが設けられた入賞役物装置を備えたパチンコ機に対して本発明を適用してもよい。
【０１２３】
・上記各実施の形態における不正監視システムの構成をパチンコ機１０に対してではなく、スロットマシンに対して適用してもよい。また、パチンコ機とスロットマシンとが融合された遊技機に対して適用してもよい。
【図面の簡単な説明】
【０１２４】
【図１】各実施の形態の不正監視システムにおいて管理対象となるパチンコ機を示す正面図である。
【図２】ガラス扉枠を取り外した状態を示すパチンコ機の正面図である。
【図３】パチンコ機の背面図である。
【図４】主制御装置の横断面図である。
【図５】（ａ）は封印シールの構成を示す正面図、（ｂ）は封印シールの構成を示す背面図である。
【図６】封印シールの構成を示す断面図である。
【図７】パチンコ機の電気的構成を示すブロック図である。
【図８】遊技ホールにおける遊技島を示す正面図である。
【図９】第１の実施の形態における不正監視システムに関する電気的構成を示すブロック図である。
【図１０】ホールコンピュータによる不正検出処理を示すフローチャートである。
【図１１】（ａ）はホールコンピュータのＲＯＭに記憶された各ＩＤ情報を説明するための説明図、（ｂ）はホールコンピュータのＲＡＭに記憶された各確認フラグを説明するための説明図である。
【図１２】第２の実施の形態における不正監視システムの概要を示す構成図である。
【図１３】遊技ホール側の管理コンピュータにより実行されるパチンコ機管理処理を示すフローチャートである。
【図１４】各メーカ側のデータサーバで実行されるパチンコ機管理処理を示すフローチャートである。
【符号の説明】
【０１２５】
１０…遊技機としてのパチンコ機、１１…外枠、１２…前面枠、１３…ガラス扉枠、２５…普通入賞口、２７…作動チャッカー、２８…可変入賞装置、４２…主制御装置、４３…払出制御装置、４５…球払出装置、５１…主基板、６０…封印シール、６３，７９…ＩＣタグ、９０…遊技島、９２…リーダ装置、９３…ホールコンピュータ、１１１…リーダ装置、１１２…管理コンピュータ、１１３…データサーバ。
【図１】
2008000204.tif 000003
【図２】
2008000204.tif 000004
【図３】
2008000204.tif 000005
【図４】
2008000204.tif 000006
【図５】
2008000204.tif 000007
【図６】
2008000204.tif 000008
【図７】
2008000204.tif 000009
【図８】
2008000204.tif 000010
【図９】
2008000204.tif 000011
【図１０】
2008000204.tif 000012
【図１１】
2008000204.tif 000013
【図１２】
2008000204.tif 000014
【図１３】
2008000204.tif 000015
【図１４】
2008000204.tif 000016